(57)【特許請求の範囲】
【請求項１】
通信網にアクセスし、通信情報の送受に供されるべき通信路を確保する通信制御手段と、
前記通信路が確保される過程で前記通信制御手段によって生成された情報と、前記通信制御手段によって参照されるべき情報との双方あるいは何れか一方を記憶する記憶手段と、
前記通信制御手段によって生成された情報と、前記通信制御手段が前記通信路を確保する過程で参照し得る情報と、前記記憶手段に記憶され、もしくは記憶されるべき情報との何れかの参照、更新および設定の全てまたは一部にかかわるマンマシンインタフェースをとるマンマシンインタフェース手段と、
前記記憶手段に記憶される正規の操作者にとって既知の情報を用いて順次前記正規の操作者にとって既知のアルゴリズムに基づく演算により生成され更新されるパスワードと、前記マンマシンインタフェース手段に対する操作者の操作により与えられるパスワードとの一致により、前記操作が前記マンマシンインタフェース手段の正規の操作であることを認証する認証手段と、
を備え、
前記記憶手段は、
前記マンマシンインタフェース手段の操作が前記認証手段によって正規の操作であることが認証された場合、前記記憶手段に新たに記憶されるべき情報の内、前記操作によって前記マンマシンインタフェース手段を介して指定された情報の記憶を省略し、
前記マンマシンインタフェース手段は、
前記認証手段によって正規の操作であることが認証された操作に応じて、前記記憶手段に記憶された情報の内、前記操作によって要求された情報を出力する
ことを特徴とする通信端末装置。
【請求項２】
通信網にアクセスし、通信情報の送受に供されるべき通信路を確保する通信制御手段と、
前記通信路が確保される過程で前記通信制御手段によって生成された情報と、前記通信制御手段によって参照されるべき情報との双方あるいは何れか一方を記憶する記憶手段と、
前記通信制御手段によって生成された情報と、前記通信制御手段が前記通信路を確保する過程で参照し得る情報と、前記記憶手段に記憶され、もしくは記憶されるべき情報との何れかの参照、更新および設定の全てまたは一部にかかわるマンマシンインタフェースをとるマンマシンインタフェース手段と、
正規の操作者によって順列として予め与えられ、前記記憶手段に記憶される複数のパスワードから、サイクリックに選択され更新されるパスワードと、前記マンマシンインタフェース手段に対する操作者の操作によって与えられるパスワードとの一致により、前記操作が前記マンマシンインタフェース手段の正規の操作であることを認証する認証手段と、
を備え、
前記記憶手段は、
前記マンマシンインタフェース手段の操作が前記認証手段によって正規の操作であることが認証された場合、前記記憶手段に新たに記憶されるべき情報の内、前記操作によって前記マンマシンインタフェース手段を介して指定された情報の記憶を省略し、
前記マンマシンインタフェース手段は、
前記認証手段によって正規の操作であることが認証された操作に応じて、前記記憶手段に記憶された情報の内、前記操作によって要求された情報を出力する
ことを特徴とする通信端末装置。
【請求項３】
請求項１または請求項２に記載の通信端末装置において、
前記マンマシンインタフェース手段は、
前記マンマシンインタフェース手段の操作が前記認証手段によって正規の操作であることが認証された場合、前記記憶手段に記憶された情報の内、前記操作によって指定された情報を削除する
ことを特徴とする通信端末装置。
【発明の詳細な説明】
【０００１】
【発明の属する技術分野】
本発明は、呼設定やチャネル制御を行い、かつ内部に保持された所定の情報を操作者に適宜通知する通信端末装置に関する。
【０００２】
【従来の技術】
近年、消費電力が少なく、かつ処理量が大きなマイクロプロセッサの低廉化が図られ、このようなマイクロプロセッサは移動通信システムの端末装置その他の多様な電子機器に搭載されている。
また、これらの電子機器では、マイクロプロセッサによって主導的に行われる蓄積プログラム制御の下で多くの機能が実現され、特に、移動通信システムの端末装置には、市場の自由化と複数の製造者による競争との下で多様な付加価値が盛り込まれつつある。
【０００３】
図１７は、マイクロプロセッサが搭載された通信端末装置の構成例を示す図である。
図において、アンテナ６１の給電点には無線インタフェース部６２が接続され、その無線インタフェース部６２の復調出力と変調入力とにはベースバンドインタフェース部６３を介してそれぞれスピーカ６４とマイク６５とが接続される。無線インタフェース部６２およびベースバンドインタフェース部６３の制御端子は、制御部６６の対応する入出力ポートに接続され、その制御部６６の特定の入出力ポートには操作表示部６７が接続される。
【０００４】
このような構成の通信端末装置では、制御部６６の主記憶には、蓄積論理方式に基づいて後述する処理を実現するプログラムと、そのプログラムの実行の過程で適宜参照されるべき定数および変数が格納されるべきレジスタとが配置される。
制御部６６は、上述したプログラムを実行することによって所定の処理を行い、その処理の過程では、操作表示部６７を介して所定のマンマシンインタフェースをとり、かつ無線インタフェース部６２およびアンテナ６１を介して対抗する所定の無線基地局と連携しつつチャネル制御を行うことによって、位置登録、発信、着信その他を実現する。
【０００５】
なお、このようなチャネル制御の過程で行われるべき処理の手順については、本願発明の特徴ではなく、かつ多様な公知技術が適用されることによって実現が可能であるので、以下では、その説明を省略する。
また、制御部６６の主記憶には、例えば、図１８に示す発信履歴レジスタ７１が配置される。
【０００６】
上述したチャネル制御の過程では、制御部６６は、自局に生起した発信呼を識別する度に、下記の事項がそれぞれ格納されるべき３つのフィールドの集合からなるレコードとして、その発信呼の履歴を示す「発信履歴情報」を発信履歴レジスタ７１の空のレコードに順次蓄積する。
【０００７】
・  該当する発信呼が生起した日時を示す「発信日時」
・  その発信呼が完了呼となった場合に通話が行われた時間（ただし、不完了呼については「０」に設定される。）を示す「通話時間」
・  操作者によって操作表示部６７を介して設定され、かつこの発信呼の着信先の電話番号を示す「着信先番号」
さらに、制御部６６は、操作表示部６７を介して操作者によって与えられた情報を適宜解析し、その解析の結果として「発信履歴レジスタ７１に蓄積された情報が表示されるべきこと」を識別すると、この操作表示部６７を介して操作者に、その発信履歴レジスタ７１に蓄積された有効なレコードの内、「発信日時」フィールドの値の降順あるいは昇順に対応するレコードの各フィールドの値を順次通知する。
【０００８】
なお、以下では、このようにして通知される値については、操作表示部６７に備えられた表示器を介して可視情報として出力されると仮定する。
【０００９】
【発明が解決しようとする課題】
ところで、このような従来例では、発信履歴レジスタ７１には、操作者が意図するか否かにかかわらず、発信呼が生起する度に上述した「発信日時」、「通話時間」および「着信先番号」が自動的に蓄積され、これらの情報は、第三者が操作表示部６７を操作する場合であっても、その操作が許容される限りこの操作表示部６７に出力される。
【００１０】
したがって、このような発信履歴が悪用され、あるいはプライバシーが侵害される可能性があった。
なお、これらの悪用やプライバシーの侵害については、発信履歴レジスタ７１に蓄積された「発信履歴情報」が削除されることによって回避され得る。
しかし、一般に、これらの「発信履歴情報」は、操作者が操作表示部６７を介して指定する呼、あるいはその呼が生起した時間帯毎に削除が可能である。
【００１１】
したがって、削除されるべき「発信履歴情報」が多数あり、あるいは発信履歴レジスタ７１上に散在する場合には、操作者は操作表示部６７を介して煩雑な操作を反復しなければならなかった。
また、一旦削除された「発信履歴情報」については、正規の操作者であっても、削除に際して何らかの媒体に別途記録しない限り、再び参照することはできなかった。
【００１２】
本発明は、ハードウエアの基本的な構成が変更されることなく、内部に保持された多様な情報を正規の操作者のみに通知する通信端末を提供することを目的とする。
【００１３】
【課題を解決するための手段】
図１は、本発明の原理ブロック図である。
【００１４】
この発明では、通信制御手段１１は、通信網にアクセスし、通信情報の送受に供されるべき通信路を確保する。記憶手段１２は、その通信路が確保される過程で通信制御手段１１によって生成された情報と、この通信制御手段１１によって参照されるべき情報との双方あるいは何れか一方を記憶する。認証手段１４は、記憶手段１２に記憶される正規の操作者にとって既知の情報を用いて順次正規の操作者にとって既知のアルゴリズムに基づく演算により生成され更新されるパスワードと、マンマシンインタフェース手段１３に対する操作者の操作により与えられるパスワードとの一致により、その操作がマンマシンインタフェース手段１３の正規の操作であることを認証する。マンマシンインタフェース手段１３は、通信制御手段１１によって生成された情報と、その通信制御手段１１が上述した通信路を確保する過程で参照し得る情報と、既述の記憶手段１２に記憶され、もしくは記憶されるべき情報との何れかの参照、更新および設定の全てまたは一部にかかわるマンマシンインタフェースをとる。
【００１５】
さらに、マンマシンインタフェース手段１３は、認証手段１４によって正規の操作であることが認証された操作に応じて、記憶手段１２に記憶された情報の内、その操作によって要求された情報を出力する。
【００１６】
すなわち、記憶手段１２には先行して記憶された情報は何ら編集が施されることなく保持され、かつ認証された正規の操作者のみに対して、これら情報の内、その操作者にとって必要な情報が通知される。
したがって、記憶手段１２に保持された情報が正規ではない操作者に漏れることは、その情報の属性や情報量の如何にかかわらず、確度高く回避される。
さらに、記憶手段１２は、マンマシンインタフェース手段１３の操作が認証手段１４によって正規の操作であることが認証された場合、その記憶手段１２に新たに記憶されるべき情報の内、この操作によってマンマシンインタフェース手段１３を介して指定された情報の記憶を省略する。
すなわち、正規の操作者によって指定された新たな情報は、記憶手段１２に記憶されないので、如何なる操作者にも漏れることはない。
したがって、この発明によって、確度高くプライバシーの保護が図られる。
この発明では、通信制御手段１１は、通信網にアクセスし、通信情報の送受に供されるべき通信路を確保する。記憶手段１２は、その通信路が確保される過程で通信制御手段１１によって生成された情報と、この通信制御手段１１によって参照されるべき情報との双方あるいは何れか一方を記憶する。認証手段１４は、正規の操作者によって順列として予め与えられ、記憶手段１２に記憶される複数のパスワードから、サイクリックに選択され更新されるパスワードと、マンマシンインタフェース手段１３に対する操作者の操作によって与えられるパスワードとの一致により、その操作が該マンマシンインタフェース手段１３の正規の操作であることを認証する。マンマシンインタフェース手段１３は、通信制御手段１１によって生成された情報と、その通信制御手段１１が上述した通信路を確保する過程で参照し得る情報と、既述の記憶手段１２に記憶され、もしくは記憶されるべき情報との何れかの参照、更新および設定の全てまたは一部にかかわるマンマシンインタフェースをとる。
さらに、マンマシンインタフェース手段１３は、認証手段１４によって正規の操作であることが認証された操作に応じて、記憶手段１２に記憶された情報の内、その操作によって要求された情報を出力する。
すなわち、正規の操作者の認証に適用されるべきパスワードは、単一ではなく、かつ認証が行われる度に異なるパスワードに更新される。
したがって、この発明によって、正規の操作者の認証が確度高く行われ、セキュリティの向上が図られる。
【００１７】
さらに、記憶手段１２は、マンマシンインタフェース手段１３の操作が認証手段１４によって正規の操作であることが認証された場合、その記憶手段１２に新たに記憶されるべき情報の内、この操作によってマンマシンインタフェース手段１３を介して指定された情報の記憶を省略する。
すなわち、正規の操作者によって指定された新たな情報は、記憶手段１２に記憶されないので、如何なる操作者にも漏れることはない。
【００１８】
したがって、この発明によって、確度高くプライバシーの保護が図られる。
また、この発明において、マンマシンインタフェース手段１３は、マンマシンインタフェース手段１３の操作が認証手段１４によって正規の操作であることが認証された場合、記憶手段１２に記憶された情報の内、その操作によって指定された情報を削除する。
【００１９】
すなわち、記憶手段１２に一旦記憶された情報であっても、正規の操作者によって指定された情報は、如何なる操作者にも漏れることはない。
したがって、この発明によって、確度高くプライバシーの保持が図られる。
【００２０】
また、この発明では、認証手段１４は、正規の操作者にとって既知である情報とアルゴリズムとが与えられ、このアルゴリズムに基づく演算をその情報に施すことによってパスワードを生成すると共に、そのパスワードと操作者によって与えられたパスワードとの間に成立すべき相関関係に基づいてこの操作者の認証を行う。
【００２１】
すなわち、正規の操作者の認証に適用されるべきパスワードは、上述した情報とアルゴリズムとの組み合わせに応じて適宜更新され、かつ如何なる形態においても直接示す情報としては与えられない。
したがって、正規の操作者の認証は、この発明によって、さらに確度高く行われ、かつセキュリティが高められる。
【００２２】
この発明の下位概念の発明では、正規の操作者にとって既知である情報とアルゴリズムとの双方もくしは何れか一方は、その正規の操作者によって与えられる。
すなわち、パスワードの生成に適用されるべき情報やアルゴリズムについては、正規の操作者は、必ずしも記憶しなくてもよい。
【００２３】
したがって、確実に認証されるために正規の操作者に課される負担は、確実に軽減される。
この発明に関連した第一の発明では、マンマシンインタフェース手段１３は、認証手段１４によって認証された操作者によって与えられたパスワードとの間に相関関係が成立したパスワードをその操作者に通知する。
【００２４】
すなわち、後続して行われる認証に適用されるべきパスワードが「先行する認証に適用されたパスワードに施される何らかの処理の結果」として与えられる場合でも、正規の操作者は、その先行して行われた認証に適用されたパスワードを記憶する必要がない。
したがって、正規の操作者の認証が厳格に行われる場合であっても、その操作者に課される負担が軽減される。
【００２５】
この発明に関連した第二の発明では、認証手段１４は、認証された操作者の要求に応じて、パスワードの生成に適用されるべき情報とアルゴリズムとの双方あるいは何れか一方を初期化する。
すなわち、正規の操作者は、このような要求を的確に発することができる限り、上述した情報やアルゴリズムを忘れ、あるいは正確に記憶していない場合であっても、所望の操作を円滑に行うことができる。
【００２６】
この発明に関連した第一の発明では、認証手段１４は、何れかの操作者が認証された時点から所定の時間に亘って、その認証の結果を有効とする。
すなわち、一旦認証された操作者は、既述の所定の時間が経過しない限り、再び認証に必要な操作を行うことなく、情報量が大きい情報や多数の情報について設定および参照を一括して行うことができる。
【００２７】
この発明に関連した第二の発明では、認証手段１４は、所定の時間が経過した時点で操作者がマンマシンインタフェース手段１３を介して何らかの操作を行っている場合には、その操作が完了する時点まで引き続いて認証の結果を有効とする。
すなわち、一旦認証された操作者は、既述の所定の時間が経過した時点で行っている操作については、再び認証に必要な操作を行うことなく続行することができる。
【００２８】
この発明に関連した第一の発明では、記憶手段１２は、マンマシンインタフェース手段１３を介して操作者によって与えられた情報の内、未確定の情報と確定した情報とがそれぞれ格納されるべき第一の面と第二の面とを有する。マンマシンインタフェース手段１３は、その操作者の指示に応じて、第一の面に格納された情報を第二の面に格納されるべき情報として再利用する。
【００２９】
すなわち、新たに設定され、あるいは更新されるべき情報の全てあるいは一部は、上述したように第二の面に未確定の情報として格納されている情報が再利用されることによって得られる。
したがって、新たに設定され、あるいは更新されるべき情報の全てが操作者によって新規に与えられなければならない場合に比べて、誤操作が行われる可能性が小さくなり、かつ操作性が高められる。
【００３０】
この発明に関連した第二の発明では、マンマシンインタフェース手段１３は、新たに確定されるべき情報と先行して確定された何らかの情報との間に共通集合が存在する場合には、その先行して確定された情報を両者の和集合を示す情報で置換する。
すなわち、確定された全ての情報は他の情報との間に如何なる共通集合も含むことなく構成される。
【００３１】
したがって、これらの情報に施される処理の過程では重複した冗長な処理は行われず、かつ所要する処理量の節減と応答性の向上とが図られる。
この発明に関連した第三の発明では、計時手段１５は、マンマシンインタフェース手段１３を介して操作者が所定の操作を開始した時点から経過した時間を得る。マンマシンインタフェース手段１３は、その時間が所定の閾値を超えたときに、上述した所定の操作を無効化し、かつその操作の続行に要する情報の操作者に対する通知を取り止める。
【００３２】
すなわち、所定の操作に要する時間が上述した閾値を超えた時点以降では、上記の情報が不特定の者に通知され続けることが回避される。
したがって、正規の操作者が中座した場合であっても、プライバシーの保護とセキュリティの維持とが確度高く図られる。
この発明に関連した第四の発明では、計時手段１５は、マンマシンインタフェース手段１３を介して操作者が所定の操作を開始した時点から経過した時間を得る。マンマシンインタフェース手段１３は、その時間が所定の閾値を超えたときに、上述した所定の操作にかかわるマンマシンインタフェースと、その操作の続行に要する情報の操作者に対する通知とを中止する。
【００３３】
すなわち、所定の操作に要する時間が上述した閾値を超えた時点以降では、その操作の再開の可能性が担保されつつ、上記の情報が不特定の者に通知され続けることが回避される。
したがって、正規の操作者が中座した場合であっても、プライバシーの保護とセキュリティの維持とが確度高く図られる。
【００３４】
この発明に関連した第五の発明では、マンマシンインタフェース手段１３は、操作者の要求に応じて中止されたマンマシンインタフェースと情報の通知とを再開する。
すなわち、正規の操作者は、中座した後に自動的に中止された操作を続行することによって、その操作を効率的に完結することができる。
【００３５】
したがって、中座後に全ての操作が新たに行われなければならない場合に比べて、操作性が高められる。
【００３６】
【発明の実施の形態】
以下、図面に基づいて本発明の実施形態について詳細に説明する。
【００３７】
図２は、本発明の第一ないし第十二の実施形態を示す図である。
図において、本実施形態と図１７に示す従来例との構成の相違点は、制御部６６に代えて制御部３１が備えられ、その制御部３１の主記憶の特定の記憶領域に、図３に示され、かつ既述の発信履歴レジスタ７１に代わる発信履歴レジスタ４１と、図４に示す条件レジスタ４２と、図５に示す第一のパスワードレジスタ４３とが配置された点にある。
【００３８】
また、発信履歴レジスタ４１と発信履歴レジスタ７１との構成の相違点は、図３に示すように、個々のレコードに、「発信日時」フィールドと、「通話時間」フィールドと、「着信先番号」フィールドとの何れかの値が操作表示部６７に出力されるべきか否かを示す２値情報が格納される「表示フラグ」フィールドが付加された点にある。
【００３９】
さらに、上述した条件レジスタ４２は、下記の各フィールドからなるレコードの集合として構成される。
・  後述する「条件」フィールドの値として示される条件を具備するか否かの判別が発信履歴レジスタ４１の有効なレコードについて行われるべきか否かを示す２値情報が格納される「適用フラグ」フィールド
・  発信履歴レジスタ４１のレコードの内、何れかのフィールドの値が操作表示部６７に出力されるべきレコードとして成立すべき条件が格納される「条件」フィールド
また、第一のパスワードレジスタ４３は、図５に実線で示されるように、複数Ｎのユニークなパスワードがそれぞれ格納されるべき「第一のパスワード」フィールドないし「第Ｎのパスワード」フィールドからなる単一のレコードとして構成される。
【００４０】
図６は、本発明の第一ないし第三の実施形態の動作フローチャートである。
以下、図２〜図６を参照して本発明の第一の実施形態の動作を説明する。
まず、発信履歴レジスタ４１の「発信日時」フィールド、「通話時間」フィールドおよび「着信先番号」フィールドには、制御部３１が行うチャネル制御の処理の手順に基づいて所定の値が従来例と同様に格納される。
【００４１】
また、始動時には、制御部３１は、自局に固有の何らかの情報（例えば、自局の選択呼び出しに供される識別番号や認証に供されるべき暗唱番号等々）と、操作表示部６７を介して操作者によって与えられた情報との双方あるいは何れか一方に、所定のアルゴリズムに基づく処理を施すことによって、複数Ｎのユニークなパスワードを生成し、第一のパスワードレジスタ４３の対応するフィールドにこれらのパスワードを格納する。
【００４２】
さらに、制御部３１は、これらのフィールドの何れかを示す「パスワードポインタ」を主記憶の特定の領域に有し、かつ上述した始動時には、その「パスワードポインタ」の値を初期化する。
また、制御部３１は、条件レジスタ４２の領域管理をレコードの単位に適宜行い、これらのレコードの内、空のレコードと、「条件」フィールドの値として何らかの有効な条件が格納されているレコードとを識別する。
【００４３】
ところで、制御部３１は、操作表示部６７を操作する操作者とのマンマシンインタフェースをとり、その操作者によって何らかの情報が与えられる度に、下記の処理(1)〜(9)の内、この操作者によって要求された処理を予め決められたアルゴリズムに基づいて識別する。
(1) 着信先の番号の設定
(2) 発信動作の起動
(3) 着信呼に対する応答
(4) 短縮番号の設定
(5) 電話帳等の読み出し
(6) 操作者が正規の者であるか否かの認証
(7) 既述の条件の設定
(8) 発信履歴レジスタに格納された情報の内、所望の情報の表示
(9) 時計の校正その他の付加機能の利用
なお、これらの処理の内、処理(1)〜(5)、(9)については、本願発明との関連性はなく、かつ多様な公知技術の適用の下で実現が可能であるので、以下では、その説明を省略する。
【００４４】
制御部３１は、「操作者が正規の者であるか否かの認証」の過程では、以下の一連の処理を行う。
・  第一のパスワードレジスタ４３の「第一のパスワード」フィールドないし「第Ｎのパスワード」フィールドの内、既述の「パスワードポインタ」の値に対応するパスワードフィールドの値（以下、「基準パスワード」という。）を特定する。
【００４５】
・  操作表示部６７を介して操作者によって与えられたパスワードを取得する。
・  そのパスワードと上述した「基準パスワード」とが一致し、あるいは両者の間に所定の相関関係が成立するか否かの判別を行う。
・  この判別の結果が偽である場合には、下記の処理（以下、「条件設定処理」という。）を見合わせる。
【００４６】
・  反対にこの判別の結果が真である場合には、上述した条件の設定にかかわる処理を起動し、かつモジュロＮ則に基づいて「パスワードポインタ」の値をインクリメントする。
また、「条件設定処理」の過程では、制御部３１は、操作表示部６７を介して引き続き操作者によって与えられる情報を解析することによって、条件レジスタ４２に対して施すべき処理が下記の何れに該当するかを識別する。
【００４７】
・  条件レジスタ４２の空のレコードに新たな条件を格納する「設定処理」
・  条件レジスタ４２の何れかのレコードに先行して格納されている条件を更新する「更新処理」
・  条件レジスタ４２の何れかのレコードに先行して格納されている条件を削除する「削除処理」
これらの処理の内、「設定処理」の過程では、制御部３１は、下記の一連の処理を行う。
【００４８】
・  操作表示部６７を介して操作者によって与えられ、かつ既述の何らかの条件を示す情報を取り込み、条件レジスタ４２の「条件」フィールドに格納されるべき所定の形式の語にその情報を変換する。
・  既述の領域管理の下で、条件レジスタ４２のレコードの内、「適用フラグ」の値が「１」（ここでは、簡単のため、有効なレコードを示すと仮定する。）であり、かつ「条件フィールド」の値が上述した語に等しいレコードがあるか否かを判別する。
【００４９】
・  この判別の結果が真である場合には、その旨を示すメッセージを操作表示部６７に出力することによって、操作者に「設定された条件と同じ条件が既存の有効な条件として条件レジスタ４２に格納されていること」を通知する。
・  しかし、反対にその判別の結果が偽である場合には、同様にして領域管理の下で条件レジスタ４２の空のレコードを特定し、そのレコードの「適用フラグ」フィールドの値を「１」に設定すると共に、このレコードの「条件」フィールドの値として上述した語を設定する。
【００５０】
また、上述した「更新処理」の過程では、制御部３１は、下記の一連の処理を行う。
・  操作表示部６７を介して操作者によって与えられ、かつ既述の何らかの条件を示す第一の条件と、その条件に代えて設定されるべき代替条件を示す第二の条件とを示す情報を取り込み、これらの情報を条件レジスタ４２の「条件」フィールドに格納されるべき共通の形式の第一の語と第二の語とにそれぞれ変換する。
【００５１】
・  既述の領域管理の下で、条件レジスタ４２のレコードの内、「適用フラグ」の値が「１」（ここでは、簡単のため、有効なレコードを示すと仮定する。）であり、かつ「条件フィールド」の値が上述した第一の語に等しいレコード（以下、「更新レコード」という。）があるか否かを判別する。
・  この判別の結果が偽である場合には、その旨を示すメッセージを操作表示部６７に出力することによって、操作者に「設定された条件が条件レジスタ４２には格納されていないこと」を通知する。
【００５２】
・  しかし、反対にその判別の結果が真である場合には、上述した更新レコードの「条件」フィールドの値を上述した第二の語に更新する。
さらに、上述した「削除処理」の過程では、制御部３１は、下記の一連の処理を行う。
・  操作表示部６７を介して操作者によって与えられ、かつ既述の何らかの条件を示す情報を取り込み、条件レジスタ４２の「条件」フィールドに格納されるべき所定の形式の語にその情報を変換する。
【００５３】
・  既述の領域管理の下で、条件レジスタ４２のレコードの内、「適用フラグ」の値が「１」（ここでは、簡単のため、有効なレコードを示すと仮定する。）であり、かつ「条件フィールド」の値が上述した語に等しいレコードがあるか否かを判別する。
・  この判別の結果が偽である場合には、その旨を示すメッセージを操作表示部６７に出力することによって、操作者に「設定された条件が条件レジスタ４２に格納されていないこと」を通知する。
【００５４】
・  しかし、反対にその判別の結果が真である場合には、該当する条件レジスタ４２のレコードの「適用フラグ」フィールドの値を「０」に設定し、かつ上述した領域管理にこのレコードが空のレコードとなったことを反映させる。
また、制御部３１は、条件レジスタ４２の何れかのレコード（以下、「特定のレコード」という。）について、「条件」フィールドの値が更新され、あるいは新たに設定された場合には、発信履歴レジスタ４１のレコードの内、「発信日時」フィールド、「通話時間」フィールドおよび「着信先番号」フィールドの全てあるいは一部に有効な値が格納されている全てのレコードについて、下記の処理を個別に施す。
【００５５】
・  発信履歴情報レジスタ４１の個々のレコードの「発信日時」フィールド、「通話時間」フィールドおよび「着信先番号」フィールドの値の組み合わせに対して、条件レジスタ４２のレコードの内、上述した特定のレコードの「条件」フィールドの値で示される条件が成立するか否かの判別を行う（図６(1))。
・  この判別の結果である真偽をそれぞれ示す２値「１」、「０」を発信履歴レジスタ４１の対応するレコードの「表示フラグ」フィールドに格納する（図６  (2))。
【００５６】
さらに、制御部３１は、上述したチャネル制御の過程で発信呼を識別する度に、発信履歴レジスタ４１の何れかのレコードの「発信日時」フィールド、「通話時間」フィールドおよび「着信先番号」フィールドの全てもしくは一部に、その発信呼のチャネル制御の過程で得られ、または生成された語を格納し（図６(A))、かつ下記の処理を併せて行う。
【００５７】
・  該当する「発信日時」フィールド、「通話時間」フィールドおよび「着信先番号」フィールドの値に対して、条件レジスタ４２のレコードの内、「適用フラグ」の値が「１」である何れかのレコードの「条件」フィールドの値で示される条件が成立するか否かを判別する（図６(B))。
・  発信履歴レジスタ４１のレコードの内、これらの「発信日時」フィールド、「通話時間」フィールドおよび「着信先番号」フィールドと共通のレコードの「表示フラグ」フィールドの値として、その判別の結果である真偽を示す「１」、「０」を設定する（図６(C))。
【００５８】
また、制御部３１は、既述の処理(1)〜(9)の内、「発信履歴レジスタ４１に格納された情報の内、所望の情報の表示」を行う処理の過程では、その発信履歴レジスタ４１のレコードの内、「表示フラグ」フィールドの値が「０」であるレコードの「発信日時」フィールド、「通話時間」フィールドおよび「着信先番号」フィールドの値に限って、操作表示部６７に出力する。
【００５９】
すなわち、発信履歴レジスタ４１に蓄積された情報の内、操作者によって予め指定された条件を満たす情報については、操作表示部６７に対する出力が規制される。
このように本実施形態によれば、発信履歴レジスタ４１に蓄積された情報が操作者によって個別に削除されることなく確実に保全され、これらの情報の内、上述した条件を満たす情報が操作表示部６７を介して第三者によって読みとられることが確実に回避される。
【００６０】
したがって、操作性が煩雑となることなく、従来例に比べて確度高くプライバシーの保護が図られる。
以下、図２〜図６を参照して本発明の第二の実施形態の動作を説明する。
本実施形態と既述の第一の実施形態との相違点は、制御部３１が行う下記の処理の手順にある。
【００６１】
制御部３１は、上述したチャネル制御の過程で発信呼を識別する度に、操作表示部６７に対する新たな情報の出力を保留し（図６(D))、かつ下記の処理を行う。
・  発信履歴レジスタ４１の何れかのレコードの「発信日時」フィールド、「通話時間」フィールドおよび「着信先番号」フィールドの全てあるいは一部に、その発信呼のチャネル制御の過程で得られた語を格納する（図６(E))。
【００６２】
・  該当する「発信日時」フィールド、「通話時間」フィールドおよび「着信先番号」フィールドの値に対して、条件レジスタ４２のレコードの内、「適用フラグ」の値が「１」である何れかのレコードの「条件」フィールドの値で示される条件が成立するか否かを判別する（図６(F))。
【００６３】
・  その判別の結果が真である場合に限って、上述したように発信履歴レジスタ４１に格納された語の組み合わせを削除する（図６(G))。
・  発信履歴レジスタ４１のレコードの内、このように削除された語の組み合わせが格納されていたレコードを解放し、そのことを既述の領域管理に反映させる（図６(H))。
【００６４】
・  操作表示部６７に対する新たな情報の出力の保留を解除する（図６(I))。
すなわち、発信履歴レジスタ４１には、新規に生起した発信呼にかかわる情報は、上述した条件を満たさない場合に限って蓄積される。
したがって、既述の第一の実施形態に比べて、制御部３１に要求される処理量の低減が可能となり、かつ上述した削除された語に関する限り、操作者によって指定された条件を満たす情報に該当する場合であっても操作表示部６７に出力されることが回避される。
【００６５】
以下、図２〜図４および図６を参照して本発明の第三の実施形態の動作を説明する。
本実施形態と既述の第二の実施形態との相違点は、制御部３１が行う下記の処理の手順にある。
制御部３１は、条件レジスタ４２の特定のレコードについて、「条件」フィールドの値が更新され、あるいは新たに設定された場合には、発信履歴レジスタ４１のレコードの内、「発信日時」フィールド、「通話時間」フィールドおよび「着信先番号」フィールドの全てあるいは一部に有効な値が格納されている全てのレコードについて、下記の処理を個別に施す。
【００６６】
・  条件レジスタ４２のレコードの内、「適用フラグ」フィールドの値が「１」である何れかのレコードの「条件」フィールドの値で示される条件が成立するか否かを判別する（図６(3))。
【００６７】
・  その判別の結果が真である場合に限って、該当する発信履歴レジスタ４１のレコードを削除する（図６(4))。
すなわち、発信履歴レジスタ４１には、条件レジスタ４２の何れかのレコードの「条件」フィールドの値として新たな条件が設定され、あるいは先行して設定されていた情報が更新される時点に先行して生起した発信呼にかかわる情報の内、その条件を満たさない情報のみが蓄積される。
【００６８】
したがって、既述の第二の実施形態に比べて制御部３１の処理量の低減が可能となり、かつ上述した削除されたレコードに蓄積された情報に関しては、操作者によって指定された条件を満たす情報に該当する場合であっても操作表示部６７に出力されることが確実に回避される。
なお、本実施形態では、発信履歴レジスタ４１に先行して蓄積された情報と、新規に生起した発信呼にかかわる情報との内、条件レジスタ４２の何れかのレコードの「条件」フィールドの値として与えられる条件が成立する情報がその発信履歴レジスタ４１に蓄積されることが規制されている。
【００６９】
しかし、本発明はこのような構成に限定されず、例えば、条件レジスタ４２に新たに設定され、あるいはその条件レジスタ４２に先行して設定されていた条件が更新された時点以降に生起した発信呼にかかわる情報については、既述の第一の実施形態と同様に発信履歴レジスタ４１に蓄積されてもよい。
以下、本発明の第四の実施形態について説明する。
【００７０】
本実施形態と上述した第一ないし第三の実施形態との構成の相違点は、既述の第一のパスワードレジスタ４３に代わって、図７に実線で示すように、下記の項目が格納されるべき記憶領域の集合として形成された第二のパスワードレジスタ４４が制御部３１の主記憶に配置された点にある。
・  操作者の認証に適用されるべきパスワードの算出に適用される定数として与えられた「初期値」
・  正規の操作者のみにとって既知である「既知情報」
・  これらの「初期値」と「既知情報」とを演算対象として行われ、かつ上述した認証に供されるべきパスワードを与える「アルゴリズム」
・  その「アルゴリズム」に基づいて生成され、かつ認証に適用されるべき「後続パスワード」
・  操作表示部６７を介して与えられた「被検定パスワード」
以下、図２および図７を参照して本発明の第四の実施形態の動作を説明する。
【００７１】
本実施形態と既述の第一ないし第三の実施形態との相違点は、制御部３１によって行われ、かつ「操作者の認証」を実現する下記の処理の手順にある。
まず、制御部３１は、始動時には、第二のパスワードレジスタ４４の記憶領域の内、「初期値」、「既知情報」および「アルゴリズム」の各記憶領域に、所定の値を設定することによって初期化を行う。
【００７２】
なお、以下では、これらの「初期値」および「既知情報」に上述した初期化の過程で設定される値については、簡単のため、それぞれ十進数「１９６５１１２３」、「１９００２１」であると過程する。
さらに、制御部３１は、このような初期化の処理の過程では、第二のパスワードレジスタ４４に格納されるべき「後続パスワード」の値として、例えば、図８(a) に示すように、「初期値(＝１９６５１１２３)」と「既知情報(＝１９００２１)」とに対して「アルゴリズム」として定義された演算（ここでは、簡単のため、繰り上がりが伴わない加算であると仮定する。）を行い、その結果（＝１９７４１１４４）を格納する。
【００７３】
また、制御部３１は、これらの一連の処理を完了すると、既述のチャネル制御とマンマシンインタフェースとを実現する処理を起動し、そのマンマシンインタフェースの過程で操作表示部６７を介して何らかのパスワードが与えられると、そのパスワードを第二のパスワードレジスタ４４に「被検定パスワード」として格納する。
【００７４】
さらに、制御部３１は、その「被検定パスワード」と上述した「後続パスワード」との間に既述の相関関係（ここでは、簡単のため、「両者が等しい」との条件として与えられると仮定する。）が成立するか否かを判別し、その判別の結果が真とならない限り、操作表示部６７を操作する操作者を正規の操作者として識別せず、かつ後続して行われるべき既述の条件の設定その他処理の起動を見合わせる。
【００７５】
また、制御部３１は、このような判別の結果が真となる度に、図８(b) 以降に順次示すように、下記の処理を反復することによって、「後続パスワード」の値を更新する。
・  既述の「初期値」に代えて「後続パスワード」を適用する。
・  その「後続パスワード」と上述した「既知情報(＝１９００２１)」とに対して「アルゴリズム」として定義された演算（繰り上がりが伴わない加算）を行い、その結果（＝１９８１１１６５）を新たな「後続パスワード」として格納する。
【００７６】
すなわち、操作表示部６７を操作する操作者の認証に供されるパスワードは、正規の操作者のみにとって既知である「初期値」および「既知情報」の値と、「アルゴリズム」として定義された単純な演算とに基づいて自動的に、かつ毎回更新される。
したがって、本実施形態によれば、パスワードが一定である場合に比べて、操作表示部６７を操作し、かつ正規ではない操作者に対して、既述の条件の設定や発信履歴レジスタ４１の内容の表示が許容される可能性が大幅に小さな値となる。
【００７７】
なお、本実施形態では、上述した「アルゴリズム」に基づいて行われる演算の演算対象として、値が一定である「既知情報」が適用されている。
しかし、本発明はこのような「アルゴリズム」に限定されず、例えば、下記の変数が「既知情報」に代えて適用されることによって、正規ではない操作者が行う操作とその操作に対する応答とがさらに確度高く規制されてもよい。
【００７８】
・  先行して適用された「後続パスワード」を示す全てあるいは一部の桁の値
・  内蔵された時計によって与えられる日時や時刻の全てあるいは一部の桁の値
・  これらの値の双方もしくは何れか一方と、端末装置に固有である何らかの値
とを演算対象として行われた所定の演算の結果（単に両者が組み合わせられることによて得られてもよい。）
以下、本発明の第五の実施形態について説明する。
【００７９】
本実施形態と上述した第四の実施形態との構成の相違点は、図９に示すように、下記の項目が格納されるべき記憶領域の集合として形成された適用情報テーブル４５が制御部３１の主記憶に配置された点にある。
・  第二のパスワードレジスタ４４に「既知情報」として適宜格納されるべき複数ｉの「既知情報１」〜「既知情報ｉ」
・  第二のパスワードレジスタ４４に「アルゴリズム」として適宜格納され、かつ適用されるべき複数αの「アルゴリズム１」〜「アルゴリズムα」
また、制御部３１の主記憶には、下記の２つのポインタＰｉ、Ｐαが配置される。
【００８０】
・  上述した「既知情報１」〜「既知情報ｉ」の内、実際に適用されるべき「既知情報」を示すポインタＰｉ
・  上述した「アルゴリズム１」〜「アルゴリズムα」の内、実際に適用されるべき「アルゴリズム」を示すポインタＰα
以下、図２および図７ないし図９を参照して本発明の第五の実施形態の動作を説明する。
【００８１】
制御部３１は、上述した「既知情報１」〜「既知情報ｉ」の内、ポインタＰｉで示される「既知情報」と、「アルゴリズム１」〜「アルゴリズムα」の内、ポインタＰαで示される「アルゴリズム」との双方について、操作表示部６７を介して操作者が選択や確認を行うことを可能とするマンマシンインタフェースをとる。
【００８２】
また、制御部３１は、このようなマンマシンインタフェースの過程でポインタＰｉ、Ｐαの何れかが更新されると、これらのポインタＰｉ、Ｐαに対応した「既知情報」と「アルゴリズム」とを第二のパスワードレジスタ４４の対応する領域に格納する。
さらに、制御部３１は、これらの「既知情報」と「アルゴリズム」とを適用することによって、既述の第四の実施形態と同様にして順次「後続パスワード」を算出しつつ、その「後続パスワード」と「被検定パスワード」との間の相関関係に基づいて操作表示部６７を操作する操作者が正規の操作者であるか否かを判別する。
【００８３】
すなわち、操作者の認証に適用されるべきパスワードは、正規の操作者によって適宜設定され、あるいは選択された「既知情報」や「アルゴリズム」に基づいて決定される。
したがって、本実施形態によれば、これらの「既知情報」や「アルゴリズム」が一定である場合に比べて、正規の操作者の認証がさらに確度高く行われる。
【００８４】
なお、本実施形態では、正規の操作者が操作表示部６７を介して与える要求に応じて「既知情報」や「アルゴリズム」が適宜更新されている。
しかし、本発明はこのような構成に限定されず、例えば、制御部３１がポインタＰｉ、Ｐαの双方あるいは何れか一方の値を自立的に更新し、新たな値に対応した「既知情報」や「アルゴリズム」を正規の操作者のみが識別し得る形式で操作表示部６７に出力することによって、操作の簡略化に併せて信頼性の向上が図られてもよい。
【００８５】
以下、図２および図７を参照して本発明の第六の実施形態の動作を説明する。
本実施形態と既述の第四および第五の実施形態との相違点は、制御部３１が下記の処理を行う点にある。
制御部３１は、第二のパスワードレジスタ４４に格納された「後続パスワード」と「被検定パスワード」との間に所定の相関関係が成立することを識別する度に、その「後続パスワード」を更新する処理に先行して、この「後続パスワード」を操作表示部６７に出力する。
【００８６】
すなわち、操作表示部６７には、先行して正常に行われた操作者の認証に適用された「後続パスワード」が表示されるので、正規の操作者は、その「後続パスワード」を記憶し、あるいは備忘録等に記録することなく、さらに後続して行うべき認証に際して適用されるパスワードを円滑に、かつ確度高く得ることができる。
【００８７】
以下、図２および図７を参照して本発明の第七の実施形態の動作を説明する。
本実施形態と既述の第四ないし第六の実施形態との相違点は、制御部３１が行う下記の処理の手順にある。
制御部３１は、操作表示部６７を介して与えられる情報を解析することによって、その情報に応じて行うべき下記の処理を起動する。
【００８８】
このような処理の過程では、制御部３１は、既述の「アルゴリズム」として定義され、かつ「初期値」と「既知情報」とを演算対象として行われる演算の結果を第二パスワードレジスタ４４に「後続パスワード」の値として格納する。
すなわち、正規の操作者の認証に供される「後続パスワード」は、その操作者が適宜行う所定の操作に応じて初期化される。
【００８９】
すなわち、正規の操作者が先行して適用されたパスワードを忘れ、あるいは後続して適用されるべきパスワードの算出に要する処理が煩雑となった場合であっても、その操作者の認証に適用されるべきパスワードは、円滑に、かつ確度高く特定される。
【００９０】
したがって、本実施形態によれば、正規の操作者の認証の確度が低下することなく、その操作者が行うべき操作表示部６７の操作にかかわる制約が緩和される。
以下、本発明の第八の実施形態について説明する。
本実施形態と上述した第四ないし第七の実施形態との構成の相違点は、図７に点線で示すように、下記の項目「先行パスワード」が格納されるべき記憶領域が付加された点でその第二のパスワードレジスタ４４と異なり、この第二のパスワードレジスタ４４に代わる第二のパスワードレジスタ４４Ａが備えられ、かつ図１０に実線で示すように、下記の項目がそれぞれ格納されるべき記憶領域からなる計時カウンタ４６が制御部３１の主記憶に配置された点にある。
【００９１】
・  制御部３１によって実行され、かつ一定の周期で起動されるプロセス（割り込み処理）の過程でインリメントされる「計数値」
・  この「計数値」に隣接する語のＭＳＢとして配置され、かつ制御部３１が後述する手順に基づいて更新する２値情報である「操作中フラグ」
以下、図２および図１０を参照して本発明の第八の実施形態の動作を説明する。
【００９２】
制御部３１は、正規の操作者の認証を完了するたびに、計数カウンタ４６に含まれる「計数値」の値を「０」に初期化する。
また、制御部３１は、操作表示部６７と連携しつつ行うマンマシンインタフェースの過程で上記の認証を完了すると、後続して操作表示部６７を介して与えられる何らかの情報をその認証を再度行うことなく取得すべき期間に限って、計数カウンタ４６に含まれる「操作中フラグ」の値を「１」に設定する。
【００９３】
上述したプロセス（割り込み処理）の過程では、制御部３１は、「操作中フラグ」の値が「１」である期間に限って「計数値」をインクリメントし、かつその「計数値」が規定の閾値を上回ったか否かの判別を行う。
【００９４】
また、制御部３１は、この判別の結果が真である場合には、「操作中フラグ」の値を「０」に設定する。
さらに、上述したマンマシンインタフェースの過程では、既述の認証が完了した後であっても、操作表示部６７を介して何らかの情報が与えられるたびにこの「操作中フラグ」の値が「１」であるか否かの判別を行い、その判別の結果が偽である場合には、該当する情報を廃棄し、この操作表示部６７を介して操作者にその旨を通知する。
【００９５】
すなわち、操作者表示部６７を操作する操作者が正規の操作者である場合には、その操作者によって設定されるべき情報の量や項目が多く、あるいはこれらの情報の入力に長い時間を要する場合であっても、この正規の操作者は反復して認証に必要なパスワードを設定する煩わしさから解放され、かつ上記のマンマシンインタフェースの効率化が図られる。
【００９６】
以下、本発明の第九の実施形態について説明する。
本実施形態と既述の第八の実施形態との構成の相違点は、図１０に点線で示すように、計時カウンタ４６に、既述の「操作中フラグ」と共通の語にＬＳＢとしてパックされた「補助ビット」が含まれた点にある。
以下、図２および図１０を参照して本発明の第九の実施形態の動作を説明する。
【００９７】
制御部３１は、上述した認証が完了した時点で「操作中フラグ」の値を「１」に設定するときには、「補助ビット」の値を「０」に設定する。
しかし、制御部３１は、「計数値」の値が上述した閾値未満であり、かつ「操作中フラグ」の値が「１」である期間に、入力されるべき情報の一部が操作表示部６７を介して与えられた時点からその情報の全てが与えられる時点に亘って、「補助ビット」の値を「１」に保つ。
【００９８】
一方、制御部３１は、「計数値」の値が上述した閾値を上回り、かつ「操作中フラグ」の値が「０」に設定された後であっても、「補助ビット」の値が「１」である限り、操作表示部６７を介して与えられた情報を廃棄することなく適用する。
すなわち、正規の操作者の認証が完了した後に上述した閾値に等しい時間が経過した後であっても、その操作者によって開始された何らかの情報の入力が完了する時点まで、その情報は有効に受け付けられる。
【００９９】
したがって、本実施形態によれば、既述の第八の実施形態に比べて、正規の操作者によって行われるべき操作の遅れが柔軟に許容され、かつ操作性が高められる。
以下、本発明の第十の実施形態について説明する。
本実施形態と上述した第一の実施形態との構成の相違点は、操作表示部６７を介して操作者によって与えられた情報の内、未確定の情報が格納されるべき第一の面と、確定された情報が格納されるべき第二の面とからなり、かつ図１１に示す２面メモリ４７がその制御部３１の主記憶の特定の記憶領域として備えられた点にある。
【０１００】
なお、２面メモリの第一の面には、個々の未確定の情報は、簡単のため、図１１に示すように、該当する情報の「識別子」、「属性」および「値」の組み合わせとして格納されると仮定する。
また、２面メモリの第二面には、個々の確定した情報については、例えば、既述の条件レジスタ４２のように、予め決められた形式およびフォーマットで格納されるので、ここでは、詳細な説明および図示を省略することとする。
【０１０１】
さらに、これらの第一の面と第二の面と間における記憶領域の対応関係および割付けについては、本願発明の特徴ではなく、かつ多様な公知の技術の適用の下で実現が可能であるので、以下では、その説明を省略する。
以下、図２および図１１を参照して本発明の第十の実施形態の動作を説明する。
【０１０２】
制御部３１は、操作表示部６７と連携しつつその操作表示部６７を介して与えられる情報を解析し、その結果に適応した処理を適宜行うことによって、先行して与えられた情報の編集（消去を含む。）および更新に併せて、その情報と異なる他の情報の取り込みとこれらの情報の確定とを可能とするマンマシンインタフェースをとる。
【０１０３】
このような処理の過程では、制御部３１は、操作表示部６７を介して新たに与えられる情報については、既述の第一の面の空いている領域を領域管理の下で取得し、その領域に上述した「識別子」、「属性」および「値」の組み合わせとして適宜格納する。
さらに、制御部３１は、このようにして第一の面の所定の領域に格納された情報については、上述したマンマシンインタフェースの過程で適宜編集し、あるいは更新する。
【０１０４】
また、制御部３１は、第一の面に先行して格納された何らかの情報について、確定すべき旨の指示が操作表示部６７を介して与えられると、その第一の面と第二の面との間について予め決められ、かつ既述の記憶領域の対応関係、割付けに基づいて、該当する情報を第二の面の適正な領域に格納する。
ところで、第一の面に格納された情報は、上述したように第二の面に確定した情報として格納された後であっても、既述のマンマシンインタフェースの下で削除されない限り、その第一の面に引き続いて蓄積される。
【０１０５】
したがって、操作表示部６７を介して所望の情報を入力する操作者は、先行して入力され、かつ上述した第一の面に格納されている情報を適宜選択し、かつ編集することによって、全ての情報を入力し直すことなく効率的に操作を完了することができる。
以下、本発明の第十一の実施形態について説明する。
【０１０６】
以下、図２、図４および図１１を参照して本発明の第十一の実施形態の動作を説明する。
本実施形態と上述した第十の実施形態との相違点は、２面メモリ４７の第一の面に格納された何らかの情報（以下、単に「未確定情報」という。）を第二の面に格納する際に、制御部３１によって行われるべき下記の処理の手順にある。
【０１０７】
なお、以下では、上述した未確定情報は、例えば、図１２(a) に示すように、条件レジスタ４２の何らかのレコードに「条件」フィールドの値として格納され、かつ発信呼を示す下記の２つの条件の組み合わせを示すと仮定する。
・  「着信先番号」が「０３−××××−１２３４」である。
・  「発信日時」の内、時刻が「10:00ないし14:00」の時間帯に属する。
【０１０８】
ここに、「×」は、「０」ないし「９」の何れかの数を示すワイルドカードである。
制御部３１は、これらの条件を示す情報を確定情報として識別する場合には、第二の面の記憶領域の内、所定の領域管理の下でこの情報が格納されるべき記憶領域（ここでは、簡単のため、既述の条件レジスタ４２であると仮定する。）を特定する。
【０１０９】
また、制御部３１は、このようにして特定された条件レジスタ４２の有効なレコードの内、「条件」フィールドに先行して格納された条件が上述した２つの条件の双方あるいは一方と共通の部分集合を有するレコードを検索する。
さらに、制御部３１は、このようなレコードが何ら検索されなかった場合には、何ら特異な処理を行うことなく、該当する未確定情報を第二の面（条件レジスタ４２）に格納する。
【０１１０】
なお、以下では、このようなレコードとして、例えば、図１２(b) に示すように、「条件」フィールドに下記の２つの条件の組み合わせを示す値が格納されていると仮定する。
【０１１１】
・  「着信先番号」が「０３−××××−１２３４」である。
・  「発信日時」の内、時刻が「13:00ないし21:00」の時間帯に属する。
このような場合には、制御部３１は、図１２(c) に示すように、該当するレコードの「条件」フィールドの値として、上述した２つの組み合わせの和集合として与えられる条件（「着信先番号」が「０３−××××−１２３４」であり、かつ「発信日時」が「10:00ないし21:00」となる。）を示す値を設定する。
【０１１２】
すなわち、操作者によって入力された情報の内は、確定されるべき情報は、集合として互いに素な情報の単位に併合されつつ第二の面に格納される。
したがって、制御部３１がこのようにして確定された情報を参照することによって行う処理の簡略化と、その処理に要する処理量の削減とが図られる。
以下、本発明の第十二の実施形態について説明する。
【０１１３】
本実施形態と既述の第八の実施形態との構成の相違点は、図１０に点線で示すように、下記の「上限値」を含む点で既述の計時カウンタ４６と構成が異なる計時カウンタ４６Ａがその計時カウンタ４６に代えて備えられた点にある。
・  「計数値」と比較されるべき「上限値」
以下、図２〜図４および図７〜図１０を参照して本発明の第十二の実施形態の動作を説明する。
【０１１４】
本実施形態と既述の第八の実施形態との相違点は、後述するように制御部３１によって行われる処理にある。
制御部３１は、計時カウンタ４６Ａの「計数値」を「０」に初期化する際には、その計時カウンタ４６Ａの「上限値」として、既述の閾値以上である所定の値を設定する。
【０１１５】
また、制御部３１は、既述のプロセス（割り込み処理）の過程では、「操作中フラグ」の値が「１」から「０」に更新された後も「計数値」をインクリメントする。
なお、以下では、「計数値」の語長については、簡単のため、通常時にオーバフローが生じない程度に長いと仮定する。
【０１１６】
さらに、制御部３１は、このようにして「計数値」をインクリメントするたびに、その「計数値」が上述した「上限値」を上回ったか否かの判別を行い、その判別の結果が偽である場合には、何ら特別な処理を行わない。
しかし、この判別の結果が真となった場合には、既に認証が完了した正規の操作者によって引き続いて行われている操作にかかわるマンマシンインタフェースを無効化し、あるいは中断すると共に、このような操作の手順に基づいて操作表示部９７を介して行われている情報の出力を取り止める。
【０１１７】
すなわち、上述した「上限値」が適正な値に予め設定される限り、例えば、操作者が不在となった場合であっても、その「上限値」として与えられた時間以上の長期に亘って操作表示部６７に既に表示されている情報が第三者の目に触れることが回避される。
したがって、本実施形態によれば、既述の第八の実施形態に比べて、セキュリティが高められる。
【０１１８】
なお、本実施形態では、上述した操作が単に無効化され、あるいは中断されている。
しかし、本発明はこのような構成に限定されず、例えば、その操作が中断された場合には、操作表示部６７を介して操作者によって与えられる情報に応じてこの操作の再開に必要な所定の処理が起動されてもよい。
【０１１９】
また、本実施形態では、上述した操作は、制御部３１によって行われた計時の結果に基づいて自動的に無効化され、あるいは中断されている。
しかし、本発明はこのような構成に限定されず、これらの操作は、例えば、操作表示部６７を介して正規の操作者によって与えられる要求に応じて、速やかに無効化され、あるいは中断されてもよい。
【０１２０】
なお、上述した第十ないし第十二の実施形態では、２面メモリ４７が搭載され、かつ未確定の情報と確定された情報とが個別に蓄積されている。
しかし、本発明はこのような構成に限定されず、例えば、入力される個々の情報が順次確定した情報として適用されてもよい。
また、上述した各実施形態では、本発明のみの実現を目的としてパスワードが適用されている。
【０１２１】
しかし、このようなパスワードについては、例えば、誤動作の防止やセキュリティの向上を目的として適用されるパスワードを兼ねてもよい。
さらに、上述した各実施形態では、操作表示部６７に出力された情報は可視情報として操作者に通知されている。
しかし、本発明はこのような構成に限定されず、これらの情報は、例えば、音声やトーンとして出力され、あるいは赤外線ポートその他の通信ポートを介して出力されてもよい。
【０１２２】
また、上述した各実施形態では、操作表示部６７によって可視情報として出力される情報の形式が何ら開示されていない。
しかし、このような情報の形式については、所望のマンマシンインタフェースが達成される限り、通信端末装置として通常の動作が行われている状態で表示される情報と異なる帳票等として出力されてもよく、あるいはこれらの情報が適宜組み合わせられてなる共通の帳票等として出力されてもよい。
【０１２３】
さらに、上述した各実施形態では、適用されるべきマンマシンインタフェースの方式が詳細に開示されていない。
しかし、このようなマンマシンインタフェースの方式は、本願発明の特徴ではなく、かつ公知の多様な技術の適用の下で実現が可能であり、かつ必ずしもＧＵＩである必要はなく、操作者が自立的に行う判断の下で所定のコマンドを発することによって起動されるコマンド入力型インタフェース方式が適用されてもよい。
【０１２４】
また、上述した各実施形態では、このようなマンマシンインタフェースの過程において入力されるべき情報は、キーパッドに限らず、例えば、タッチパネルやジョグダイヤルを介して与えられ、あるいはパターン認識が可能な音声情報等として与えられてもよい。
さらに、上述した各実施形態では、本発明は、発信履歴レジスタ４１に蓄積された情報の内、所望の条件を具備する情報のみが表示されるために、適用されている。
【０１２５】
しかし、本発明はこのような発信履歴レジスタ４１に蓄積された情報に限定されず、例えば、図１３〜図１６に示すように、着信履歴レジスタ４８、電話帳４９、ｅメールアドレス帳５０、自局番号レジスタ５１、メール送信箱５２、メール受信箱５３、伝言メモレジスタ５４の全てもしくは一部に含まれる如何なる情報についても、同様に適用が可能である。
【０１２６】
また、これらの情報の詳細な項目については、例えば、図１３〜図１６に図示される通りであり、かつ本発明はこれらの情報の組み合わせの相違に応じて特異な作用効果は何ら奏しないので、ここでは説明を省略する。
さらに、上述した各実施形態では、既述のマンマシンインタフェースの過程で操作者によって与えられるべき情報の順列が何ら示されていない。
【０１２７】
しかし、これらの順列については、本発明の特徴ではなく、例えば、数値情報とその他の情報とのように、属性が共通である項目毎に予め決められた手順および形式で所望の情報が与えられる順列として標準化されてもよい。
また、上述した各実施形態では、複数の項目の情報が与えられる場合にこれらの情報の間に付加されるべきセパレータが何ら示されていない。
【０１２８】
しかし、このようなセパレータについては、先行して入力されるべき情報の先頭が一義的に定まり、かつ語長その他に基づいて末尾が確実に定まる場合には、何ら付加されなくてもよい。
さらに、上述した各実施形態では、未確定の情報のみについて編集や確認を実現するマンマシンインタフェースが実現されている。
【０１２９】
しかし、本発明はこのような構成に限定されず、例えば、確定した情報についても編集や確認を実現するマンマシンインタフェースが行われてもよい。
また、上述した各実施形態では、操作者によって入力された情報に誤りが含まれる場合における処理が何ら開示されていない。
しかし、このような場合において行われるマンマシンインタフェースの手順については、本発明の特徴ではなく、かつ多様な公知技術の適用の下で実現が可能であるので、ここでは、その説明を省略する。
【０１３０】
さらに、上述した各実施形態では、操作者によって与えられた情報を何らかの確定した情報として取り込む処理が短時間内に完了することが前提となっている。
しかし、このような処理に要する時間が操作者が待機しなければならない程度に長い場合には、例えば、その処理が完了する時点まで「処理中」等のメッセージが操作表示部６７に出力され、かつ後続して行われるべきマンマシンインタフェースその他の処理の開始が保留されてもよい。
【０１３１】
さらに、本発明は、上述した実施形態に限定されるものではなく、本発明の範囲において、多様な形態による実施形態が可能であり、かつ構成装置の一部もしくは全てに如何なる改良が施されてもよい。
以下、上述した各実施形態に開示された発明の構成を階層的・多面的に整理し、かつ付記項として順次列記する。
【０１３２】
（付記１）  通信網にアクセスし、通信情報の送受に供されるべき通信路を確保する通信制御手段１１と、
前記通信路が確保される過程で前記通信制御手段１１によって生成された情報と、その通信制御手段１１によって参照されるべき情報との双方あるいは何れか一方を記憶する記憶手段１２と、
前記通信制御手段１１によって生成された情報と、その通信制御手段１１が前記通信路を確保する過程で参照し得る情報と、前記記憶手段１２に記憶され、もしくは記憶されるべき情報との何れかの参照、更新および設定の全てまたは一部にかかわるマンマシンインタフェースをとるマンマシンインタフェース手段１３と、
前記マンマシンインタフェース手段１３を操作する操作者の認証を行う認証手段１４と
を備えた通信端末装置において、
前記マンマシンインタフェース手段１３は、
前記認証手段１４によって認証された操作者のみに対して、前記記憶手段１２に記憶された情報の内、その操作者によって要求された情報を通知する
ことを特徴とする通信端末装置。
【０１３３】
（付記２）  付記１に記載の通信端末装置において、
記憶手段１２は、
操作者が認証手段１４によって認証された場合に限って、前記記憶手段１２に新たに記憶されるべき情報の内、その操作者によって前記マンマシンインタフェース手段１３を介して指定された情報の記憶を省略する
ことを特徴とする通信端末装置。
【０１３４】
（付記３）  付記１または付記２に記載の通信端末装置において、
マンマシンインタフェース手段１３は、
操作者が認証手段１４によって認証された場合に限って、記憶手段１２に記憶された情報の内、その操作者によって指定された情報を削除する
ことを特徴とする通信端末装置。
【０１３５】
（付記４）  付記１ないし付記３の何れか１項に記載の通信端末装置において、
認証手段１４は、
順列として予め与えられ、かつ正規の操作者にとって既知である複数のパスワードの内、単一のパスワードをサイクリックに選択し、その単一のパスワードと操作者によって与えられたパスワードとの間に成立すべき相関関係に基づいてその操作者の認証を行う
ことを特徴とする通信端末装置。
【０１３６】
（付記５）  付記１ないし付記３の何れか１項に記載の通信端末装置において、
認証手段１４は、
正規の操作者にとって既知である情報とアルゴリズムとが与えられ、このアルゴリズムに基づく演算をその情報に施すことによってパスワードを生成すると共に、そのパスワードと操作者によって与えられたパスワードとの間に成立すべき相関関係に基づいてこの操作者の認証を行う
ことを特徴とする通信端末装置。
【０１３７】
（付記６）  付記５に記載の通信端末装置において、
正規の操作者にとって既知である情報とアルゴリズムとの双方もしくは何れか一方は、その正規の操作者によって与えられる
ことを特徴とする通信端末装置。
（付記７）  付記５または付記６に記載された通信端末装置において、
マンマシンインタフェース手段１３は、
認証手段１４によって認証された操作者によって与えられたパスワードとの間に相関関係が成立したパスワードをその操作者に通知する
ことを特徴とする通信端末装置。
【０１３８】
（付記８）  付記５ないし付記７の何れか１項に記載の通信端末装置において、
認証手段１４は、
認証された操作者の要求に応じて、パスワードの生成に適用されるべき情報とアルゴリズムとの双方あるいは何れか一方を初期化する
ことを特徴とする通信端末装置。
【０１３９】
（付記９）  付記４ないし付記８の何れか１項に記載の通信端末装置において、
認証手段１４は、
何れかの操作者が認証された時点から所定の時間に亘って、その認証の結果を有効とする
ことを特徴とする通信端末装置。
【０１４０】
（付記１０）  付記９に記載の通信端末装置において、
認証手段１４は、
所定の時間が経過した時点で操作者がマンマシンインタフェース手段１３を介して何らかの操作を行っている場合には、その操作が完了する時点まで引き続いて認証の結果を有効とする
ことを特徴とする通信端末装置。
【０１４１】
（付記１１）  付記１ないし付記１０の何れか１項に記載の通信端末装置において、
記憶手段１２は、
マンマシンインタフェース手段１３を介して操作者によって与えられた情報の内、未確定の情報と確定した情報とがそれぞれ格納されるべき第一の面と第二の面とを有し、
前記マンマシンインタフェース手段１３は、
前記操作者の指示に応じて、前記第一の面に格納された情報を前記第二の面に格納されるべき情報として再利用する
ことを特徴とする通信端末装置。
【０１４２】
（付記１２）  付記１ないし付記１１の何れか１項に記載の通信端末装置において、
マンマシンインタフェース手段１３は、
新たに確定されるべき情報と先行して確定された何らかの情報との間に共通集合が存在する場合に、その先行して確定された情報を両者の和集合を示す情報で置換する
ことを特徴とする通信端末装置。
【０１４３】
（付記１３）  付記１ないし付記１２の何れか１項に記載の通信端末装置において、
マンマシンインタフェース手段１３を介して操作者が所定の操作を開始した時点から経過した時間を得る計時手段１５を備え、
前記マンマシンインタフェース手段１３は、
前記計時手段１５によって得られた時間が所定の閾値を超えたときに、前記所定の操作を無効化し、かつその操作の続行に要する情報の前記操作者に対する通知を取り止める
ことを特徴とする通信端末装置。
【０１４４】
（付記１４）  付記１ないし付記１２の何れか１項に記載の通信端末装置において、
マンマシンインタフェース手段１３を介して操作者が所定の操作を開始した時点から経過した時間を得る計時手段１５を備え、
前記マンマシンインタフェース手段１３は、
前記計時手段１５によって得られた時間が所定の閾値を超えたときに、前記所定の操作にかかわるマンマシンインタフェースと、その操作の続行に要する情報の前記操作者に対する通知とを中止する
ことを特徴とする通信端末装置。
【０１４５】
（付記１５）  付記１４に記載の通信端末装置において、
マンマシンインタフェース手段１３は、
操作者の要求に応じて中止されたマンマシンインタフェースと情報の通知とを再開する
ことを特徴とする通信端末装置。
【０１４６】
【発明の効果】
上述したようにこの発明では、記憶手段に保持された情報の属性や情報量の如何にかかわらず、正規ではない操作者にその情報が漏れることが確度高く回避される。
また、この発明では、確度高くプライバシーの保護が図られる。
【０１４７】
さらに、この発明では、正規の操作者の認証が確度高く行われ、セキュリティの向上が図られる。
また、この発明では、正規の操作者の認証は確度高く行われ、かつセキュリティが高められる。
さらに、この発明の下位概念の発明では、正規の操作者が確実に認証されるために課される負担が確実に軽減される。
【０１４８】
また、この発明に関連した第一の発明では、正規の操作者の認証が厳格に行われる場合であっても、その操作者に課される負担が軽減される。
さらに、この発明に関連した第二の発明では、正規の操作者は、認証の度に更新されるために既述の情報やアルゴリズムを正確に記憶できず、あるいは忘れた場合であっても、所望の操作を円滑に行うことができる。
【０１４９】
また、この発明に関連した第一の発明では、一旦認証された操作者は、所定の時間が経過しない限り、再び認証に必要な操作を行うことなく、情報量が大きい情報や多数の情報について設定および参照を一括して行うことができる。
【０１５０】
さらに、この発明に関連した第二の発明では、一旦認証された操作者は、所定の時間が経過した時点で行っている操作については、再び認証に必要な操作を行うことなく続行することができる。
また、この発明に関連した第一の発明では、新たに設定され、あるいは更新されるべき情報の全てが操作者によって新規に与えられなければならない場合に比べて、誤操作が行われる可能性が小さくなり、かつ操作性が高められる。
【０１５１】
さらに、この発明に関連した第二の発明では、所要する処理量の節減と応答性の向上とが図られる。
また、この発明に関連した第三および第四の発明では、正規の操作者が中座した場合であっても、プライバシーの保護とセキュリティの維持とが確度高く図られる。
【０１５２】
さらに、この発明に関連した第五の発明では、中座後に全ての操作が新たに行われなければならない場合に比べて、操作性が高められる。
したがって、これらの発明が適用された通信システムでは、プライバシーの保護とセキュリティの維持とに併せて、加入者の要求に対する柔軟な適応とサービス品質の向上とが図られ、かつ多様な付加価値に適応するマンマシンインタフェースが実現される。
【図面の簡単な説明】
【図１】本発明の原理ブロック図である。
【図２】本発明の第一ないし第十二の実施形態を示す図である。
【図３】発信履歴レジスタの構成を示す図である。
【図４】条件レジスタの構成を示す図である。
【図５】第一のパスワードレジスタの構成を示す図である。
【図６】本発明の第一ないし第三の実施形態の動作フローチャートである。
【図７】第二のパスワードレジスタの構成を示す図である。
【図８】パスワードが更新される過程を示す図である。
【図９】適用情報テーブルの構成を示す図である。
【図１０】計時カウンタの構成を示す図である。
【図１１】２面メモリの構成を示す図である。
【図１２】併合処理の一例を示す図である。
【図１３】着信履歴レジスタおよび電話帳の構成例を示す図である。
【図１４】ｅメールアドレス帳および自局番号レジスタの構成例を示す図である。
【図１５】メール送信箱およびメール受信箱の構成例を示す図である。
【図１６】伝言メモレジスタの構成例を示す図である。
【図１７】マイクロプロセッサが搭載された通信端末装置の構成例を示す図である。
【図１８】発信履歴レジスタの構成を示す図である。
【符号の説明】
１１  通信制御手段
１２  記憶手段
１３  マンマシンインタフェース手段
１４  認証手段
１５  計時手段
３１，６６  制御部
４１，７１  発信履歴レジスタ
４２  条件レジスタ
４３  第一のパスワードレジスタ
４４，４４Ａ  第二のパスワードレジスタ
４５  適用情報レジスタ
４６，４６Ａ  計時カウンタ
４７  ２面メモリ
４８  着信履歴レジスタ
４９  電話帳
５０  ｅメールアドレス帳
５１  自局番号レジスタ
５２  メール送信箱
５３  メール受信箱
５４  伝言メモレジスタ
６１  アンテナ
６２  無線インタフェース部
６３  ベースバンドインタフェース部
６４  スピーカ
６５  マイク
６７  操作表示部
【図１】
0004494600.tif 000002
【図２】
0004494600.tif 000003
【図３】
0004494600.tif 000004
【図４】
0004494600.tif 000005
【図５】
0004494600.tif 000006
【図６】
0004494600.tif 000007
【図７】
0004494600.tif 000008
【図８】
0004494600.tif 000009
【図９】
0004494600.tif 000010
【図１０】
0004494600.tif 000011
【図１１】
0004494600.tif 000012
【図１２】
0004494600.tif 000013
【図１３】
0004494600.tif 000014
【図１４】
0004494600.tif 000015
【図１５】
0004494600.tif 000016
【図１６】
0004494600.tif 000017
【図１７】
0004494600.tif 000018
【図１８】
0004494600.tif 000019